(57)【要約】  視聴者はリモコンを使って視聴したい番組の視聴ＣＨと視聴日時を指定する。受信方法選択部は視聴日時に基づいて現在放送中の番組か、過去に放送済みの番組かを判定し、受信方法を選択する。ＳＩ情報蓄積部には、放送番組と一緒に送られてくるＳＩ情報のＳＤＴに含まれ過去番組が蓄積されている番組配信サーバのＵＲＬ情報が記憶されており、視聴者が選択した番組が過去番組の場合には、ＩＰデータ受信部は、このＵＲＬに基づいて番組配信サーバに接続し、視聴日時を番組配信サーバに送信して、所望の過去番組をＩＰネットワーク経由で受信する。
2010029743.tif 000002
【特許請求の範囲】
【請求項１】
番組配信サーバに接続して過去の番組データを受信して再生するテレビジョン受信装置であって、
放送中の番組データを受信すると共に、前記番組配信サーバを特定するサーバ特定情報を含む番組情報を受信する放送データ受信部と、
前記番組配信サーバから前記過去の番組データを受信するＩＰデータ受信部と、
リモコン信号として視聴チャンネル情報および／または視聴日時情報を含む視聴番組情報を受信するリモコン受信部と、
少なくとも受信した前記番組情報を蓄積する蓄積部と、
前記リモコン受信部が前記視聴番組情報を受信した場合に、前記視聴日時情報に基づいて前記視聴番組情報で示される番組データが過去の番組データであるか否かを判断し、前記視聴番組情報で示される番組データが過去の番組データであると判断した場合は、前記蓄積部が蓄積した前記番組情報から前記サーバ特定情報を取得し、前記ＩＰデータ受信部に前記サーバ特定情報で示される番組配信サーバに接続させると共に、前記視聴チャンネル情報および／または前記視聴日時情報で特定される番組データを受信させ、前記視聴番組情報で示される番組データが過去の番組データでないと判断した場合は、前記放送データ受信部に前記視聴番組情報で特定される番組データを受信させる制御部と、を具備することを特徴とするテレビジョン受信装置。
【請求項２】
前記サーバ特定情報は、チャンネル毎に対応した前記番組配信サーバの接続ＵＲＬ情報である、ことを特徴とする請求項１に記載のテレビジョン受信装置。
【請求項３】
前記サーバ特定情報は、番組データ毎に対応した前記番組配信サーバの接続ＵＲＬ情報である、ことを特徴とする請求項１に記載のテレビジョン受信装置。
【請求項４】
前記放送中の番組データを録画する録画部を更に備え、
前記制御部は、前記リモコン受信部が前記視聴番組情報を受信した場合に、前記視聴日時情報に基づいて前記視聴番組情報で示される番組データが過去の番組データであるか否かを判断し、前記視聴番組情報で示される番組データが過去の番組データであると判断した場合は、前記録画部に前記視聴番組情報で示される番組データが録画されているか否かを判断し、前記録画部に前記視聴番組情報で示される番組データが録画されている場合は、録画された前記視聴番組情報で示される番組データを再生させる、ことを特徴とする請求項１から３のいずれか１項に記載のテレビジョン受信装置。
【請求項５】
前記制御部は、前記リモコン受信部が受信した前記視聴日時情報に対応する電子番組表を表示させると共に、前記視聴日時情報に対応する電子番組表から所定の過去の番組データを選択させ、選択させた前記過去の番組データを前記ＩＰデータ受信部に受信させる、ことを特徴とする請求項１から４のいずれか１項に記載のテレビジョン受信装置。
【請求項６】
番組配信サーバに接続して過去の番組データを受信して再生するテレビジョン受信装置の番組データ受信方法であって、
放送中の番組データを受信すると共に、前記番組配信サーバを特定するサーバ特定情報を含む番組情報を受信して蓄積する番組情報蓄積ステップと、
視聴チャンネル情報および／または視聴日時情報を含む視聴番組情報をリモコンより受信する視聴番組情報受信ステップと、
前記視聴日時情報に基づいて前記視聴番組情報で示される番組データが過去の番組データであるか否かを判断する過去番組判定ステップと、
前記視聴番組情報で示される番組データが過去の番組データであると判断された場合は、前記番組情報蓄積ステップで蓄積された前記番組情報から前記サーバ特定情報を取得し、前記サーバ特定情報で示される番組配信サーバに接続すると共に、前記視聴チャンネル情報および／または前記視聴日時情報で特定される番組データを受信する第１の番組データ受信ステップと、
前記視聴番組情報で示される番組データが過去の番組データでないと判断された場合は、前記視聴番組情報で特定される番組データを受信する第２の番組データ受信ステップと、を備えたことを特徴とする番組データ受信方法。
【発明の詳細な説明】
【技術分野】
【０００１】
本発明は、現在および過去の放送番組を選択、視聴することができるテレビジョン受信装置および番組データ受信方法に関する。
【背景技術】
【０００２】
近年、地上テレビジョン放送および衛星テレビジョン放送においてデジタル放送が急速に普及しており、この結果番組コンテンツに加え比較的大容量の番組情報を同時に送信することも容易になった。その代表的なものとして電子番組表情報がある。【０００３】
放送のデジタル化による動画の高圧縮技術によって極めて多数の番組コンテンツを放送することが可能となった反面、それらの多数の番組を視聴者が容易に選択できる仕組みが重要となった。この要望に対応する最も代表的な仕組みが電子番組表である。これを用いれば、視聴者は番組選択を行う際に、新聞のテレビ番組欄や専用の番組紹介冊子を手元に持ち出して検索することなく、視聴するテレビジョン受信装置の画面上に電子番組表を表示させて番組指定することが可能となる。表示すべき情報が画面内に収まらない場合は、パーソナルコンピュータの画面表示と同様に、縦方向および横方向に表示部分をスクロールさせて表示させることが一般的に行われている。【０００４】
一方、広帯域ＩＰネットワークの普及により、双方向通信の特長を生かしたＩＰ動画サービスが普及し始めている。デジタル放送における番組受信が現在放送中のものに限られるのに対し、ＩＰ動画サービスでは過去に放送された番組をサーバに蓄積し、視聴者のリクエストに応じて視聴者毎に個別配信することができる。いわゆるＶＯＤ（Ｖｉｄｅｏ  Ｏｎ  Ｄｅｍａｎｄ）サービスにおける１つの利用形態である。見逃した番組や、知人から紹介された放送済み番組を視聴できるので、ＩＰ動画サービスは魅力的なサービスとして期待されている。【０００５】
このような過去に放送済みである番組についても、番組選択を容易にする仕組みが必要である。なぜなら過去の番組を選択、指定する際に、選択対象となる番組が膨大となるため、操作性のよい選択機能が備わっていないと視聴者にとって極めて利用しづらいものとなるからである。【０００６】
このような要望に対応するため、放送経路から取得した電子番組表情報と、通信経路（通常、ＩＰ網）から取得した電子番組表情報とを合成した電子番組表をテレビジョン受信装置の画面上に表示する。その後、電子番組表上で選択した番組が現在放送中のものである場合は、選択番組を放送経路から取得して表示し、過去の番組である場合には通信経路を介して画像配信サーバから選択した番組を取得して表示させる方法が提案されている（例えば、特許文献１を参照）。この仕組みにより視聴者は、過去、現在、将来の番組表を同じ電子番組表画面内で連続的に（シームレスに）検索することができるので、視聴者の番組選択の操作負担を大きく低減することが期待できる。【０００７】
また、特許文献１では２種類の電子番組表情報の合成は、テレビジョン受信装置側で行っているが、それを送信側で行わせるようにした方法も提案されている（例えば、特許文献２を参照）。この仕組みを用いれば、２種類の電子番組表情報の合成は予め送信側で行われるので、受信側での複雑な処理が不要になるという利点がある。【０００８】
このように、過去、現在、将来の電子番組表を連続的に表示させることによって、視聴者の利便性は大きく向上するが、以下の問題が残る。すなわち特許文献１の方法では、放送経路、通信経路それぞれから取得した２種類の電子番組表情報を、視聴者の所有するテレビジョン受信装置側で合成しなければならず、そのためにテレビジョン受信装置が複雑、高コストになる。【０００９】
また特許文献２の方法では、送信する電子番組情報に必ず過去から現在に至る膨大な量の電子番組表情報が含まれるため、その送信経路が放送経路か通信経路かによらず、データ量が大きくなり、伝送負担が大きくなる。【００１０】
また特許文献１および特許文献２の方法共に、過去の番組を視聴するには必ず電子番組表を起動して表示させなければならず、視聴者にとって手間がかかるという問題があった。
【先行技術文献】
【特許文献】
【００１１】
【特許文献１】特開２００４−１９３９２０号公報
【特許文献２】特開平１１−３４１３７１号公報
【発明の概要】
【００１２】
本発明のテレビジョン受信装置は、番組配信サーバに接続して過去の番組データを受信して再生するテレビジョン受信装置であって、放送中の番組データを受信すると共に、番組配信サーバを特定するサーバ特定情報を含む番組情報を受信する放送データ受信部と、番組配信サーバから過去の番組データを受信するＩＰデータ受信部と、リモコン信号として視聴チャンネル情報および／または視聴日時情報を含む視聴番組情報を受信するリモコン受信部と、少なくとも受信した番組情報を蓄積する蓄積部と、リモコン受信部が視聴番組情報を受信した場合に、視聴日時情報に基づいて視聴番組情報で示される番組データが過去の番組データであるか否かを判断し、視聴番組情報で示される番組データが過去の番組データであると判断した場合は、蓄積部が蓄積した番組情報からサーバ特定情報を取得し、ＩＰデータ受信部にサーバ特定情報で示される番組配信サーバに接続させると共に、視聴チャンネル情報および／または視聴日時情報で特定される番組データを受信させ、視聴番組情報で示される番組データが過去の番組データでないと判断した場合は、放送データ受信部に視聴番組情報で特定される番組データを受信させる制御部と、を具備することを特徴とする。
【００１３】
このような構成により、視聴者は過去番組を視聴する場合でも、電子番組表を使用することなく、単に視聴チャンネルと視聴日時指定という簡単な数字入力操作だけで行うことが可能になる。従って、放送中番組とほぼ同じリモコン操作で番組を選局できるので、選局操作が簡単となり、視聴者は放送中番組と過去番組をシームレスに楽しむことができる。
【００１４】
また、放送を受信しないと番組配信サーバのＵＲＬを取得できないので、放送事業者が主体で過去番組の番組配信サーバを運用できると共に、コンテンツの著作権保護も行うことができる。
【００１５】
本発明の番組データ受信方法は、番組配信サーバに接続して過去の番組データを受信して再生するテレビジョン受信装置の番組データ受信方法であって、放送中の番組データを受信すると共に、番組配信サーバを特定するサーバ特定情報を含む番組情報を受信して蓄積する番組情報蓄積ステップと、視聴チャンネル情報および／または視聴日時情報を含む視聴番組情報をリモコンより受信する視聴番組情報受信ステップと、視聴日時情報に基づいて視聴番組情報で示される番組データが過去の番組データであるか否かを判断する過去番組判定ステップと、視聴番組情報で示される番組データが過去の番組データであると判断された場合は、番組情報蓄積ステップで蓄積された番組情報からサーバ特定情報を取得し、サーバ特定情報で示される番組配信サーバに接続すると共に、視聴チャンネル情報および／または視聴日時情報で特定される番組データを受信する第１の番組データ受信ステップと、視聴番組情報で示される番組データが過去の番組データでないと判断された場合は、視聴番組情報で特定される番組データを受信する第２の番組データ受信ステップと、を備えたことを特徴とする。
【図面の簡単な説明】
【００１６】
【図１】図１は本発明を用いたテレビジョン受信装置が接続されるネットワーク概要図である。
【図２】図２は本発明の第１の実施の形態におけるテレビジョン受信装置の構成例を示すブロック図である。
【図３】図３は本発明の第１の実施の形態におけるテレビジョン受信装置と番組配信サーバとの接続状態を示す図である。
【図４】図４は本発明の第１の実施の形態におけるＳＤＴ情報の構造を示す図である。
【図５】図５は本発明の第１の実施の形態におけるリモコン操作例を示す図である。
【図６】図６は本発明の第１の実施の形態における他のリモコン操作例を示す図である。
【図７】図７は本発明の第１の実施の形態におけるテレビジョン受信装置の動作を示すフローチャートである。
【図８】図８は本発明の第２の実施の形態におけるテレビジョン受信装置の構成例を示すブロック図である。
【図９】図９は本発明の第２の実施の形態におけるテレビジョン受信装置と番組配信サーバとの接続状態を示す図である。
【図１０】図１０は本発明の第２の実施の形態におけるＥＩＴ情報の構造を示す図である。
【図１１】図１１は本発明の第２の実施の形態におけるテレビジョン受信装置の動作を示すフローチャートである。
【図１２】図１２は本発明の第３の実施の形態におけるテレビジョン受信装置の構成例を示すブロック図である。
【図１３】図１３は本発明の第３の実施の形態におけるテレビジョン受信装置の動作を示すフローチャートである。
【図１４Ａ】図１４Ａは本発明の第４の実施の形態におけるテレビジョン受信装置の動作例を示す画面表示遷移図であり、視聴者の選局操作と表示画面の推移の例を示す図である。
【図１４Ｂ】図１４Ｂは本発明の第４の実施の形態におけるテレビジョン受信装置の動作例を示す画面表示遷移図であり、視聴者の選局操作に伴う電子番組表の表示状態を示す図である。
【図１５】図１５は本発明の第４の実施の形態におけるテレビジョン受信装置の動作を示すフローチャートである。
【図１６】図１６は本発明の他の実施の形態におけるＶＣＴの中で番組配信サーバ情報がどのように配置されるかを示す図である。
【発明を実施するための形態】
【００１７】
以下、本発明の実施の形態におけるテレビジョン受信装置について、図面を参照しながら説明する。なお、特に断らない限り、現在放送中の番組は、例えばデジタル衛星放送、デジタル地上波放送等の放送電波を使った放送網によって送られてくることを想定し、また番組配信サーバへの接続や番組配信サーバからの過去番組は、広帯域のインターネットからなるＩＰ（Ｉｎｔｅｒｎｅｔ  Ｐｒｏｔｏｃｏｌ）網によって送られてくるものとする。
【００１８】
図１は本発明が適用されるテレビジョン受信装置と放送局、およびそれを接続するネットワークの概要を示した図である。放送局２００においては、放送番組（映像、音声のコンテンツ）およびそれに関連する番組情報を送出する番組送出装置２０１、過去の放送番組を蓄積および配信する番組配信サーバ２０２が設置される。番組情報中には番組配信サーバ２０２に接続するためのＵＲＬ（Ｕｎｉｆｏｒｍ  Ｒｅｓｏｕｒｃｅ  Ｌｏｃａｔｏｒ）情報を含ませるものとする。テレビジョン受信装置１００は、放送網４０１を介して番組送出装置２０１からの放送を受信し、またＩＰ網（すなわちインターネット）４０２を介して番組配信サーバ２０２と双方向で接続される。また視聴者によるテレビジョン受信装置１００への操作は通常、リモコン３００により行われる。
【００１９】
（第１の実施の形態）
図２は本発明の第１の実施の形態におけるテレビジョン受信装置１００の内部構成を示すブロック図である。
【００２０】
図２に示すように、テレビジョン受信装置１００は、リモコン受信部１０１、リモコン信号解析部１０２、記憶部１０３、受信方法選択部１０４、放送受信制御部１０５、放送データ受信部１０６、ＩＰ受信制御部１０７、ＩＰデータ受信部１０８、ＳＩ（Ｓｅｒｖｉｃｅ  Ｉｎｆｏｒｍａｔｉｏｎ）情報蓄積部１０９、受信データ再生部１１０、映像表示部１１１および音声出力部１１２を備えている。
【００２１】
図２において、リモコン受信部１０１は視聴者がリモコン３００で入力した視聴番組情報を含んだリモコン信号を赤外線通信等で受信する。視聴者は現在放送中の番組を視聴する場合は、視聴チャンネル情報のみ入力すればよいが、過去番組を視聴する場合には、視聴チャンネル情報に加え、視聴したい番組が過去に放送された日時情報も入力する必要がある。このリモコン信号はリモコン信号解析部１０２により解析されて、視聴者が指定した視聴番組の視聴チャンネル（ＣＨ）や視聴日時の視聴番組情報が記憶部１０３に記憶されると共に、受信方法選択部１０４に送られる。記憶部１０３に記憶された視聴番組情報は、必要に応じて受信方法選択部１０４により読み出されて使用される。
【００２２】
受信方法選択部１０４は、リモコン信号解析部１０２より受け取った番組の日時情報によって視聴者が指定した番組が現在放送中の番組か、過去に放送された番組かを判定し、この判定結果に基づいて放送データを受信するか、ＩＰデータを受信するか選択する。そしてそれぞれの制御を担当する放送受信制御部１０５およびＩＰ受信制御部１０７へ番組指定情報を伝える。
【００２３】
放送受信制御部１０５は、受信方法選択部１０４の指示を受けて、放送データ受信部１０６に受信チャンネルの設定を行わせると共に、受信データを受信データ再生部１１０に出力するよう制御する。
【００２４】
放送データ受信部１０６は、設定されたＣＨを選局して、放送中のＴＳ（Ｔｒａｎｓｐｏｒｔ  Ｓｔｒｅａｍ）データからＭＰＥＧ−２で圧縮された番組コンテンツデータのパケットを抜き取り、受信データ再生部１１０に送る。また、放送中のＴＳデータには番組に関する情報であるＳＩ情報が含まれており、このＳＩ情報を抽出してＳＩ情報蓄積部１０９に蓄積する。ＳＩ情報は、放送番組に関する情報データであり、デジタル放送規格で規定された情報である。このＳＩ情報の中にＳＤＴ（Ｓｅｒｖｉｃｅ  Ｄｅｓｃｒｉｐｔｉｏｎ  Ｔａｂｌｅ）と呼ばれる項目が用意されていて、この中に放送チャンネルの名称、放送事業者の名称、その他放送チャンネルに関する情報を送れるようになっている。このＳＤＴには過去番組取得で必要となる番組配信サーバ２０２のＵＲＬ情報が含まれる。
【００２５】
ＩＰ受信制御部１０７は、受信方法選択部１０４の指示を受けて、ＳＩ情報蓄積部１０９にアクセスしてリモコン信号解析部１０２から受け取った視聴番組情報に対応する番組配信サーバ２０２のＵＲＬ情報を読み出して、過去番組の日時情報と共にＩＰデータ受信部１０８に送る。
【００２６】
ＩＰデータ受信部１０８は、ＩＰ受信制御部１０７から受け取った過去番組の日時情報を番組配信サーバ２０２のＵＲＬに送信し、番組配信サーバ２０２から所望の過去番組データを取得して、受信データ再生部１１０に出力する。
【００２７】
受信データ再生部１１０は、放送データ受信部１０６またはＩＰデータ受信部１０８から受信した番組データから映像データと音声データを分離し、ＭＰＥＧ−２のデコード処理を施し、ベースバンドの映像信号および音声信号に戻して、それぞれ映像表示部１１１および音声出力部１１２に出力する。
【００２８】
なお、受信方法選択部１０４、放送受信制御部１０５およびＩＰ受信制御部１０７から構成されたブロックは、制御部としてリモコン信号解析部１０２からの視聴番組情報を受け取り、テレビジョン受信装置１００全体を制御する。
【００２９】
ここで、所望の番組を番組配信サーバ２０２から取得するための処理について、以下に詳しく説明する。番組配信サーバ２０２は放送チャンネル毎に対応して設置するものとする。仮に放送チャンネルが１０個あれば番組配信サーバ２０２もそれぞれに対応して１０台存在し、それぞれに接続のためのＵＲＬが割り振られている。ＳＤＴ情報中に放送チャンネルとそのチャンネルの番組配信サーバ２０２のＵＲＬが関連付けられていて、その組合せをＳＩ情報蓄積部１０９に記憶させておく。
【００３０】
視聴者が過去番組を選択すると、まずＩＰ受信制御部１０７によって所定の番組配信サーバ２０２のＵＲＬがＳＩ情報蓄積部１０９より読み出される。このＵＲＬはＩＰデータ受信部１０８に与えられ、ＩＰ網４０２の上り方向通信によって目的の番組配信サーバ２０２に接続する。また視聴者がリモコン入力した日時情報はＩＰ受信制御部１０７、ＩＰデータ受信部１０８を経て、所定の番組配信サーバ２０２に送られ、この番組配信サーバ２０２の中からその時間帯の番組を送出させることができる。
【００３１】
図３は本実施の形態で過去番組を選択した時のテレビジョン受信装置１００と番組配信サーバ２０２との接続についての説明図である。図３では、視聴者がＡＢＣ放送の２００５年４月１９日１８：００〜１９：００の過去番組（「ニュースＡＢＣ」）２１１ａに引き続き、ＤＥＦ放送（２００５年４月１９日１８：００〜２０：００の過去番組（「プロ野球中継」）２１１ｂを選局した例を示している。選局した過去番組２１１ａおよび過去番組２１１ｂの放送時のＴＳデータ中のＳＤＴには、それぞれ放送チャンネル（放送局）および番組配信サーバのＵＲＬ情報を含んだサービス情報記述子２１２ａ、２１２ｂが含まれている。そして、それぞれの放送局に対応した番組配信サーバ２０２ａ、２０２ｂのＵＲＬは事前にテレビジョン受信装置１００内のＳＩ情報蓄積部１０９に記憶されているので、テレビジョン受信装置１００はそれらのＵＲＬを用いてＩＰ網４０２を介して２種類の放送局の番組配信サーバ２０２ａ、２０２ｂに接続できる。
【００３２】
その後に図３に示したように上り方向の通信を用いて日時情報を番組配信サーバ２０２ａ、２０２ｂに伝えれば、番組配信サーバがどの過去番組が指定されているのかを把握できるので、該当する過去番組の指定された時間帯部分を送出し始めることができる。図３でそれぞれの番組配信サーバ２０２ａ、２０２ｂからテレビジョン受信装置１００に向かう太線の矢印２１３ａ、２１３ｂは番組コンテンツの流れを示す。
【００３３】
図４は前述したＳＤＴの中で番組配信サーバ情報がどのように配置されるかを示した図である。放送局２００から送出されるＳＩ情報中に含まれるＳＤＴには、サービスＩＤやサービス毎に編成チャンネル名、放送事業者名等の編成チャンネルの情報をサービス情報記述子（Ｄｅｓｃｒｉｐｔｏｒ）の形で所有している。本実施の形態では、このサービス情報記述子の１つとして、新たに番組配信サーバ記述子２２０（図４では、Ｓｔｒｅａｍ  Ｓｅｒｖｅｒ  Ｄｅｓｃｒｉｐｔｏｒと記載）を用意し、そこで番組配信サーバ情報、すなわち番組配信サーバ２０２のＵＲＬや、使用するプロトコル（例えばＨＴＴＰ）を記載している。
【００３４】
なおわが国のデジタル放送におけるＳＩ、ＳＤＴ等の詳細規格については、社団法人電波産業会による「地上デジタルテレビジョン放送運用規格」（ＡＲＩＢ  ＴＲ−Ｂ１４）に記載されている。
【００３５】
図５は、本実施の形態におけるテレビジョン受信装置１００で視聴者が実際に過去番組を選択する際のリモコン操作例、およびその際の表示画面例を示した図である。リモコン３００には時計ボタン３０１、カーソルと決定キー３０２、数字キー３０３、チャンネルアップダウンキー３０４が配置されている。カーソルと決定キー３０２、数字キー３０３、チャンネルアップダウンキー３０４は従来のリモコンに使用されているものと同じ機能のものである。時計ボタン３０１は、視聴者が過去番組を視聴する際に、日時指定を行うモードに入るためのボタンとして用いる。
【００３６】
いま画面５０１に示されるように、放送中の４ＣＨを視聴中であるとする。ここで視聴者が過去番組を見ることを希望すると、まず時計ボタン３０１を押して日時設定画面を表示させる。日時設定画面は、例えば画面５０２のように、日時入力欄５０４が画面５０２の右上部に表示される。この後、視聴者が数字キー３０３、カーソルと決定キー３０２を用いて希望の日時を設定すると、画面５０３のように番組配信サーバ２０２からの過去番組をＩＰ受信で視聴できる。この例の場合は、過去番組を指定する際に、チャンネル操作は行っていないので、ここで表示される過去番組は同じ４ＣＨの番組である。過去番組視聴中に再度時計ボタン３０１を押すと現在時刻に戻り、現在放送中の４ＣＨの番組が表示される。すなわち画面５０１の状態に戻る。
【００３７】
図６は図５と同様に、リモコン３００による操作例、および画面表示例であるが、今回は過去番組視聴中にチャンネル変更操作を行った場合を示している。画面５１１に示されるように、４ＣＨの過去番組（２００７年３月１２日１９時００分開始番組）をＩＰ受信で視聴中であるとする。この時、視聴者が、チャンネルアップダウンキー３０４を用いて放送チャンネルを３ＣＨに変化させると、番組配信サーバ２０２が３ＣＨ用のものに切替わって、画面５１２のように同じ日時の３ＣＨの過去番組が表示される。更にチャンネルアップダウンキー３０４を用いてチャンネルを下方に変化させると番組配信サーバ２０２が２ＣＨ用のものに切替わって、画面５１３のように同じ日時の２ＣＨの過去番組が表示される。
【００３８】
この後、視聴者が数字キー３０３で「４」を押すと、画面５１１に戻って４ＣＨの過去番組が表示される。チャンネル変更操作を数字キー３０３、およびチャンネルアップダウンキー３０４の組合せで行うことは、通常の放送受信における操作と同様である。
【００３９】
なお、視聴者が過去番組の存在しないＣＨを選局した場合には、画面にエラーを表示して視聴者に過去番組が存在しない旨を知らせるようにしてもよい。あるいは、画面をブラックアウトしたり、サーバ情報が存在しないＣＨをスキップするようにしてもよい。
【００４０】
図７は本実施の形態のテレビジョン受信装置１００における放送中番組および過去番組視聴に関する処理手順を示すフローチャートである。図７と図２を用いて、本実施の形態におけるテレビジョン受信装置１００の動作を説明する。
【００４１】
図７において、ステップＳ１００でのリモコン入力待ち状態から、リモコン受信部１０１がリモコン３００により視聴者の選局情報を受信し、リモコン信号解析部１０２により解析された指定ＣＨ（チャンネル）および指定日時が設定されると（ステップＳ１０１）、受信方法選択部１０４は、指定日時が現在か過去かを判定する（ステップＳ１０２）。指定日時が現在であれば（ステップＳ１０２で「Ｙｅｓ」の場合）、ステップＳ１０３に移行し、通常の放送受信動作を実行する。すなわち、ステップＳ１０３で放送データ受信部１０６は、放送受信制御部１０５から指定ＣＨの周波数を取得し、その周波数に合わせてチューナー（図示せず）の周波数設定を行う（ステップＳ１０４）。その後、放送データを受信し（ステップＳ１０５：第２の番組データ受信ステップ）、受信データが受信データ再生部１１０に送られて番組が再生される（ステップＳ１０６）。一方、ステップＳ１０２で指定日時が過去であれば（「Ｎｏ」の場合）、受信方法選択部１０４はＩＰ受信を選択し、ＩＰ受信制御部１０７がＳＩ情報蓄積部１０９に蓄積されている過去番組のＳＩ情報より（ＳＩ情報中のＳＤＴ情報より）指定チャンネルの番組配信サーバ情報（ＵＲＬ）を取得し（ステップＳ１０７）、ＩＰデータ受信部１０８は番組配信サーバ２０２に接続後、指定日時を送信してその日時の過去番組ストリームを要求する（ステップＳ１０８）。ＩＰデータ受信部１０８は該当する番組配信サーバ２０２からの過去番組ストリームを受信し（ステップＳ１０９：第１の番組データ受信ステップ）、受信データが受信データ再生部１１０に送られて過去番組が再生される（ステップＳ１０６）。
【００４２】
なお図７はリモコン３００で時計ボタン３０１を押して日時指定を行う場合（図５）の処理手順なので、ステップＳ１０３〜ステップＳ１０６によって実施される放送中番組の受信は、ステップＳ１０２において日時指定内容に基づいて判断されるが、時計ボタン３０１を押さずに直接チャンネル指定する場合（図６）では、ステップＳ１０２の判定は不要である。
【００４３】
以上説明したように、本実施の形態におけるテレビジョン受信装置１００によれば、視聴者は過去番組を視聴する場合でも、電子番組表を使用することなく、単に放送チャンネルと放送日時指定という簡単な数字入力操作だけで行うことが可能になる。これにより、放送中番組とほぼ同じリモコン操作で番組を選局できるので、選局操作が簡単となり、視聴者は放送中番組と過去番組をシームレスに楽しむことができる。
【００４４】
また、放送を受信しないと番組配信サーバ２０２のＵＲＬを取得できないので、放送事業者が主体で過去番組の番組配信サーバ２０２を運用できると共に、コンテンツの著作権保護も行うことができる。
【００４５】
なお、番組配信サーバ２０２から配信されるＩＰデータはＩＰネットワークの帯域の制約から放送データよりも更に圧縮率を上げる必要がある。また、テレビジョン受信装置１００がＩＰネットワーク経由で安定に受信できるデータレートはテレビジョン受信装置１００が接続されているネットワーク環境に大きく左右される。そのために、番組配信サーバ２０２にはデータレートの異なる複数の番組データが蓄積されている場合がある。このような場合には、視聴者が番組配信サーバ２０２から受信したいデータレートを予め設定できるようにしてもよい。これにより、テレビジョン受信装置１００が接続されたネットワーク環境に合わせて最適なデータレートの番組データを受信可能となる。
【００４６】
また、テレビジョン受信装置１００が過去番組にアクセスして番組データを受信するまでにはタイムラグが発生する。このために、過去番組の視聴中にテレビジョン受信装置１００の内部時計情報に基づいて他の番組を選局した場合には、上記タイムラグの分だけ実際の時刻とは異なった時刻の過去番組を受信することになる。そこで、このような問題を無くすために、番組配信サーバ２０２から一定周期で送出される時刻情報に基づいて、テレビジョン受信装置１００の内部時計情報を補正するようにしてもよい。
【００４７】
（第２の実施の形態）
次に本発明の第２の実施の形態におけるテレビジョン受信装置１２０の動作について説明する。本発明の第１の実施の形態では放送中の番組を過去番組として配信する時の番組配信サーバ２０２の情報（ＵＲＬ）がＳＩ情報の中のＳＤＴに含まれており、ＳＤＴ情報からＵＲＬを特定し、このＵＲＬの番組配信サーバ２０２に対して所望の番組を要求して取得するものであった。これに対し、本実施の形態は、上記番組配信サーバ２０２のＵＲＬがＳＩ情報の中のＥＩＴ（Ｅｖｅｎｔ  Ｉｎｆｏｒｍａｔｉｏｎ  Ｔａｂｌｅ）に含まれており、ＥＩＴ情報からＵＲＬを特定し、このＵＲＬの番組配信サーバ２０２に対して所望の番組を要求して取得するものである。
【００４８】
図８は、本実施の形態におけるテレビジョン受信装置１２０の内部構成を示すブロック図である。図８が図２と異なるのはＳＩ情報蓄積部１２９およびＩＰ受信制御部１２７のみであり、他の構成要素は同じであるので同じ符号を付し、説明を省略する。
【００４９】
図８において、ＳＩ情報蓄積部１２９は、放送日時と放送チャンネルに対応させてＳＩ情報中のＥＩＴに含まれる配信サーバ情報（ＵＲＬ）を記憶する。
【００５０】
ＩＰ受信制御部１２７は、受信方法選択部１０４の指示を受けて、ＳＩ情報蓄積部１２９にアクセスしてリモコン信号解析部１０２から受け取った番組配信サーバ２０２のＵＲＬ情報を読み出して、日時情報と共にＩＰデータ受信部１０８に送る。
【００５１】
次に、図９を用いて、図８のＳＩ情報蓄積部１２９およびＩＰ受信制御部１２７の動作を説明する。図９は本実施の形態における過去番組を選択した時の番組配信サーバとの接続についての説明図である。図３と異なる点は、図３では過去番組を取得するために接続する番組配信サーバ情報は、放送信号に含まれて伝送されるＳＤＴ情報であったのに対し、図９ではＥＩＴを用いる点である。ＳＤＴ情報が番組に関して、放送局名や放送時間という放送チャンネルの編成情報であるのに対して、ＥＩＴ情報は番組の名称や番組の関連情報等番組自体の詳細な情報を含んでいる。この情報に基づけば、番組配信サーバ２０２を番組毎に定義することも可能となり、本実施の形態では、このＥＩＴ情報の中に、番組毎に定義された番組配信サーバ情報（ＵＲＬ）を含ませることを想定している。
【００５２】
図９では、視聴者がＡＢＣ放送の２００５年４月１９日１８：００〜１９：００の過去番組（「ニュースＡＢＣ」）２１１ｃに引き続き、同じＡＢＣ放送の２００５年４月１９日１９：００〜２１：００の過去番組（「洋画指定席」）２１１ｄに時間遷移した例を示している。選局した過去番組２１１ｃおよび過去番組２１１ｄの放送時のＴＳデータ中のＥＩＴには、番組毎の開始時刻、番組の長さ、出演者等の番組の固有情報に加えて、配信サーバのＵＲＬ情報を含んだ番組情報記述子２１２ｃ、２１２ｄが含まれている。この場合は、個々の番組について番組ＩＤが付与されタイトル情報も含まれているので、番組毎に個別の番組配信サーバ２０２を設定することが可能である。そして、それぞれの放送局に対応した番組配信サーバ２０２ｃ、２０２ｄのＵＲＬは事前にテレビジョン受信装置１２０内のＳＩ情報蓄積部１２９に記憶されているので、テレビジョン受信装置１２０はそれらのＵＲＬを用いてＩＰ網４０２を介して１つの放送局の２種類の番組配信サーバ２０２ｃ、２０２ｄに接続できる。
【００５３】
その後に図９に示したように上り方向の通信を用いて日時情報を番組配信サーバ２０２ｃ、２０２ｄに伝えれば、番組配信サーバ２０２ｃ、２０２ｄがどの過去番組が指定されているのかを把握できるので、該当する過去番組の指定された時間帯部分を送出し始めることができる。図９でそれぞれの番組配信サーバ２０２ｃ、２０２ｄからテレビジョン受信装置１２０に向かう太線の矢印２１３ｃ、２１３ｄは番組コンテンツの流れを示す。
【００５４】
なお、ＵＲＬは論理的なアドレスの一種であるので、各ＵＲＬに対応したサーバは、ハードウェア装置として個別のものである必要はない。単に番組毎にＵＲＬが個別付与されているという条件が満たされていればよい。
【００５５】
図１０はＥＩＴの中で番組配信サーバ情報がどのように配置されるかを示した図である。放送局２００から送出されるＳＩ情報中に含まれるＥＩＴには、イベントＩＤやイベント毎に番組の名称や番組の関連情報等番組自体の詳細な情報をサービス情報記述子（Ｄｅｓｃｒｉｐｔｏｒ）の形で所有している。本実施の形態では、このサービス情報記述子の１つとして、新たに番組配信サーバ記述子２３０を用意し、番組配信サーバ２０２のＵＲＬや、使用するプロトコルを記載している。
【００５６】
図１１は本実施の形態のテレビジョン受信装置１２０における放送中番組および過去番組視聴に関する処理手順を示すフローチャートである。図１１と図８を用いて、本実施の形態におけるテレビジョン受信装置１２０の動作を説明する。
【００５７】
図１１において、まずステップＳ２００で放送中番組を受信中に、リモコン受信部１０１がリモコン３００により視聴者の過去番組の選局情報を受信し、リモコン信号解析部１０２により解析された指定ＣＨ（チャンネル）および指定日時が設定されると（ステップＳ２０１）、ＩＰ受信制御部１２７はその内容に対応した番組情報記述子を取得する（ステップＳ２０２）。ＥＩＴ情報内の番組情報記述子に含まれる番組配信サーバ情報等は、所定期間の過去番組分までテレビジョン受信装置１００内のＳＩ情報蓄積部１２９に蓄積されているので、番組情報記述子の取得はＳＩ情報蓄積部１２９内の情報を取り出して使用する。次に、ＩＰ受信制御部１２７は番組情報記述子に含まれている番組配信サーバ情報を取り出し（ステップＳ２０３）、ＩＰデータ受信部１０８はこの情報（ＵＲＬ）を用いて対象となる番組配信サーバ２０２に接続して希望する過去番組を受信して、受信データ再生部１１０は受信した番組データを再生する（ステップＳ２０４）。
【００５８】
次に、リモコン受信部１０１は過去番組の再生中に視聴者が新たな選局操作を行ったかどうかを検出し（ステップＳ２０５）、新たな選局操作を行った場合（ステップＳ２０５で「Ｙｅｓ」の場合）は、指定チャンネルを変更して（ステップＳ２０７）、ステップＳ２０２に戻る。この時、日時変更はしていないので、ステップＳ２０２においてＩＰ受信制御部１２７は、過去の同じ日時の異なる放送チャンネルの番組情報記述子をＳＩ情報蓄積部１２９から取得することになる。
【００５９】
ステップＳ２０５で新たな選局操作が行われていない場合（「Ｎｏ」の場合）には、ステップＳ２０６に移り、受信データ再生部１１０が過去番組の再生が終了したか否かを検出する。ステップＳ２０６で受信データ再生部１１０が番組の再生途中であれば（「Ｎｏ」の場合）、ステップＳ２０４に戻り、過去番組の再生を継続する。
【００６０】
一方、ステップ２０６で受信データ再生部１１０の番組再生が終端まできて終了したと判定された場合（「Ｙｅｓ」の場合）には、ステップ２０８でＩＰ受信制御部１２７は時間的に次の番組の開始日時を設定してステップＳ２０２に戻る。この結果、テレビジョン受信装置１２０は、指定した過去番組再生が終了すると自動的に直後の過去番組の再生に移ることができる。なお図１１では、現在放送中の番組再生に関する処理ステップは省略している。
【００６１】
以上説明したように、本実施の形態におけるテレビジョン受信装置１２０によれば、第１の実施の形態の効果に加えて、送信側で番組毎に異なる番組配信サーバ２０２が設定されたとしても、テレビジョン受信装置１２０は柔軟に対応することができる。
【００６２】
（第３の実施の形態）
次に本発明の第３の実施の形態におけるテレビジョン受信装置１４０の動作について図１２と図１３を用いて説明する。第１の実施の形態が視聴者の指定した過去番組は必ず番組配信サーバ２０２から取得するのに対して、本実施の形態では、テレビジョン受信装置１４０が放送中の番組を一時的に記憶する記憶部を備えており、視聴者が指定した視聴番組がこの記憶部に記憶されていれば、この記憶部から再生して視聴するものである。
【００６３】
図１２は、本実施の形態におけるテレビジョン受信装置１４０の内部構成を示すブロック図である。図２と異なる点は、図２の構成に加えて録画部１１３が備えられていることと、それに伴って、録画部１１３を選択可能とした受信方法選択部１４４および録画部１１３から読み出された録画番組の再生機能を加えた受信データ再生部１５０である。その他の構成は図２と同じであるので同じ構成には同一符号を付して説明を省略する。
【００６４】
録画部１１３はハードディスクレコーダ等の大容量の記憶装置から構成されており、視聴者の録画指示あるいは予め設定された録画予約に基づいて、放送中の番組を放送データ受信部１０６から受け取って録画する。
【００６５】
受信方法選択部１４４は、リモコン信号解析部１０２より受け取った番組のＣＨと日時情報によって、その番組が録画部１１３にすでに録画されているか否かを録画部１１３に問い合わせる。もしも、録画部１１３にその番組が録画されていれば、番組配信サーバ２０２に接続して番組配信を受ける必要がないので、その接続処理は行わず、録画部１１３から指定の番組を読み出して受信データ再生部１５０に出力する。
【００６６】
受信データ再生部１５０は、受信方法選択部１４４によって選択された受信方法（放送データ受信部１０６、ＩＰデータ受信部１０８および録画部１１３のうちのいずれか１つ）から番組データを受け取って再生し、映像表示部１１１および音声出力部１１２に出力する。
【００６７】
このように、録画部１１３は単に番組データの蓄積だけの機能ではなく、その番組の放送チャンネルや日時情報を保存すると共に、要求された番組指定情報が録画番組のものと該当しているか否かの判別機能を有する。
【００６８】
図１３は本実施の形態のテレビジョン受信装置１４０における放送中番組および過去番組視聴に関する処理手順を示すフローチャートである。図７と異なる点は、録画済みか否かを判定するステップＳ１１０と録画部１１３から番組を読み出すステップＳ１１１のみであり、他のステップは同じであるので同一符号を付し、説明を省略する。
【００６９】
図１３において、ステップＳ１０２で、受信方法選択部１４４が指定日時は現在でないと判定した場合（「Ｎｏ」の場合）、ステップＳ１１０へ進み、受信方法選択部１４４はステップＳ１０１で指定されたＣＨと日時の過去番組が録画部１１３に録画済みであるか否かを録画部１１３に問い合わせる。ステップＳ１１０おいて、録画済みと判定された場合（「Ｙｅｓ」の場合）、ステップＳ１１１において録画部１１３から該当番組を読み出す。その後、受信データ再生部１５０は録画データを取得し再生する（ステップＳ１０６）。
【００７０】
以上説明したように、本実施の形態のテレビジョン受信装置１４０によれば、過去番組の再生において録画部１１３の録画済みのデータを用いることにより、ＩＰ網４０２経由で受信したデータを再生する場合に比較して、安定かつ高品質の再生を行うことが可能である。またＩＰ網４０２におけるトラフィックを軽減できるという効果もある。
【００７１】
なお、図１２では録画部１１３はテレビジョン受信装置１４０に内蔵させることを前提としたが、録画部１１３はテレビジョン受信装置１４０の外部に接続されたＤＶＤレコーダ等の録画装置であってもよい。
【００７２】
（第４の実施の形態）
次に、本発明の第４の実施の形態について説明する。第１〜第３の実施の形態においては、視聴者はリモコンのみで過去番組の選局を行う例について説明したが、本実施の形態では、リモコンに加えて電子番組表（ＥＰＧ）を使用するものである。図１４Ａ、Ｂは、本実施の形態における動作例を説明する画面表示遷移図であり、図１４Ａは視聴者の選局操作と表示画面の推移の例を示し、図１４Ｂは上記操作に伴う電子番組表の表示状態を示す。
【００７３】
まず、視聴者はリモコン３００の時計ボタン３０１を押した後に、数字キー３０３等を用いて視聴希望の日時情報を入力する。これにより、電子番組表を表示する要求を行った場合は、画面６０１の電子番組表が表示される。次に視聴者が放送チャンネルの１ＣＨを選択すると、電子番組表は画面６０１のように選択された番組（ここでは「ニュースＡＢＣ」）情報６０５が強調表示される。以上の操作で指定番組の放送チャンネルと日時情報が定まるので、それに応じた番組配信サーバ情報が読み出され、その番組配信サーバ２０２への接続が行われる。なお指定された日時が現在放送中の番組の時間帯に含まれる場合には、放送中の番組受信を行う。番組配信サーバ情報の取得は、第１の実施の形態による方法（ＳＤＴ情報の利用）、第２の実施の形態による方法（ＥＩＴ情報の利用）のいずれでもよい。この後、番組配信サーバ２０２からの配信により過去番組（「ＡＢＣニュース」）６０２が再生表示される。
【００７４】
次に視聴者がリモコン３００のチャンネルアップダウンキー３０４で放送チャンネルを２ＣＨに変更すると、接続する番組配信サーバ２０２が変更され、過去番組（「映画ＤＥＦ」）６０３が再生表示される。更に視聴者がテレビジョン受信装置１００を操作することによって、表示を電子番組表に切替えれば、電子番組表の画面６０４が表示される。この時、電子番組表の画面６０４内の２ＣＨの番組（「映画ＤＥＦ」）情報６０６は強調表示される。以上のように、電子番組表を使用する場合でも、本発明による日時指定、チャンネル指定とそれに基づく番組配信サーバ情報取得の仕組みをそのまま用いることができる。また過去番組の日時の電子番組表を、リモコン３００を用いた直接数字入力で指定できるので、視聴者にとって利便性の高い過去番組指定を行える。また、電子番組表で同時間帯の他のＣＨの番組も確認できるので使い勝手が向上する。
【００７５】
図１４に示した動作例を実現するためのテレビジョン受信装置１００のフローチャートを図１５に示す。図１５において、まず電子番組表を表示し（ステップＳ３００）、日時指定、放送チャンネル指定により番組選択を行う（ステップＳ３０１）。日時情報に基づき、その番組が過去に放送済みのものか否かが判別される（ステップＳ３０２）。過去のものであれば（ステップＳ３０２で「Ｙｅｓ」）、指定日時、指定放送チャンネルの情報より、必要な番組配信サーバ２０２の情報を取得し（ステップＳ３０３）、その番組配信サーバ２０２からの過去番組を受信して再生する（ステップＳ３０４）。一方、ステップＳ３０２において過去のものでない場合は、現在放送中の番組を受信して再生する（ステップＳ３０５）。
【００７６】
以上説明したように、本実施の形態では電子番組表をリモコンによる過去番組の選局の補助として使用することにより、指定日時と同時刻の他の番組情報も把握できるので番組選局の効率が更に向上する。
【００７７】
なお、過去の電子番組表はテレビジョン受信装置１００のＳＩ情報蓄積部１０９に蓄積しておき、電子番組表を表示する時に、この蓄積された電子番組表を読み出すようにしてもよい。また、過去の電子番組表を表示する時に、番組配信サーバ２０２から受信するようにしてもよい。
【００７８】
（他の実施の形態）
前述した第１〜第４の実施の形態では、日本におけるデジタル放送規格（ＡＲＩＢ）を例に説明したが、日本以外の国、例えば米国や欧州のデジタル放送規格にも同様に適用可能である。
【００７９】
例えば、米国のデジタル放送規格であるＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）方式を例に説明する。ＡＴＳＣ方式では、ＴＳに多重されている番組情報は、ＰＳＩＰ（Ｐｒｏｇｒａｍ  ａｎｄ  Ｓｙｓｔｅｍ  Ｉｎｆｏｒｍａｔｉｏｎ  Ｐｒｏｔｏｃｏｌ）である。ＰＳＩＰは、放送中又は放送予定の全ての仮想チャンネルのリストや、各仮想チャンネルの番号、名前を記述するＶＣＴ（ｖｉｒｔｕａｌ  ｃｈａｎｎｅｌ  ｔａｂｌｅ）、仮想チャンネル内の放送予定番組の番組タイトルや技術情報を記述するＥＩＴなどを含んでいる。
【００８０】
図１６は前述したＶＣＴの中で番組配信サーバ（Ｓｔｒｅａｍ  Ｓｅｒｖｅｒ）情報がどのように配置されるかを示した図である。放送局から送出されるＰＳＩＰ情報中に含まれるＶＣＴは、メジャーチャンネル番号（ｍａｊｏｒ  ｃｈａｎｎｅｌ  ｎｕｍｂｅｒ）と、マイナーチャンネル番号（ｍｉｎｏｒ  ｃｈａｎｎｅｌ  ｎｕｍｂｅｒ）などの仮想チャンネル情報をサービス情報記述子（Ｄｅｓｃｒｉｐｔｏｒ）の形で所有している。ここで仮想チャンネル番号とは、放送局が各番組に対して付加する情報であり、メジャーチャンネル番号は物理チャンネル番号に対応したチャンネル番号であり、マイナーチャンネル番号は、選局している物理チャンネルに含まれる番組の順番を表すチャンネル番号である。
【００８１】
このサービス情報記述子の１つとして、新たに番組配信サーバ記述子２４０（図１６では、Ｓｔｒｅａｍ  Ｓｅｒｖｅｒ  Ｄｅｓｃｒｉｐｔｏｒと記載）を用意し、そこで番組配信サーバ情報、すなわち番組配信サーバのＵＲＬや、使用するプロトコルを記載する。これにより、本発明は米国のＡＴＳＣ方式でも同様に適用可能である。また、詳細な説明は省略するが、欧州のＤＶＢ（Ｄｉｇｉｔａｌ  Ｖｉｄｅｏ  Ｂｒｏａｄｃａｓｔｉｎｇ）においても同様に適用可能である。
【００８２】
なお、上記すべての実施の形態では、ＳＤＴ、ＶＣＴなどの番組情報に番組配信サーバのＵＲＬや、使用するプロトコルを記載している例を示したが、送信するネットワークに関する情報が含まれているＮＩＴ（Ｎｅｔｗｏｒｋ  Ｉｎｆｏｍａｔｉｏｎ  Ｔａｂｌｅ）にこれらの情報を記載してもよい。
【産業上の利用可能性】
【００８３】
本発明は、テレビジョン放送において放送済みの番組を視聴者が選択して視聴するテレビジョン受信装置に幅広く利用できる。
【符号の説明】
【００８４】
１００，１２０，１４０    テレビジョン受信装置
１０１    リモコン受信部
１０２    リモコン信号解析部
１０３    記憶部
１０４，１４４    受信方法選択部
１０５    放送受信制御部
１０６    放送データ受信部
１０７，１２７    ＩＰ受信制御部
１０８    ＩＰデータ受信部
１０９，１２９    ＳＩ情報蓄積部
１１０，１５０    受信データ再生部
１１１    映像表示部
１１２    音声出力部
１１３    録画部
２００    放送局
２０１    番組送出装置
２０２，２０２ａ，２０２ｂ，２０２ｃ，２０２ｄ    番組配信サーバ
２１１ａ，２１１ｂ，２１１ｃ，２１１ｄ，６０２，６０３    過去番組
２１２ａ，２１２ｂ    サービス情報記述子
２１２ｃ，２１２ｄ    番組情報記述子
２１３ａ，２１３ｂ，２１３ｃ，２１３ｄ    番組コンテンツの流れ
２２０，２３０，２４０    番組配信サーバ記述子
３００    リモコン
３０１    時計ボタン
３０２    カーソルと決定キー
３０３    数字キー
３０４    チャンネルアップダウンキー
４０１    放送網
４０２    ＩＰ網
５０１〜５０３，５１１〜５１３，６０１，６０４    画面
５０４    日時入力欄
６０５，６０６    番組情報
【図１】
2010029743.tif 000003
【図２】
2010029743.tif 000004
【図３】
2010029743.tif 000005
【図４】
2010029743.tif 000006
【図５】
2010029743.tif 000007
【図６】
2010029743.tif 000008
【図７】
2010029743.tif 000009
【図８】
2010029743.tif 000010
【図９】
2010029743.tif 000011
【図１０】
2010029743.tif 000012
【図１１】
2010029743.tif 000013
【図１２】
2010029743.tif 000014
【図１３】
2010029743.tif 000015
【図１４Ａ】
2010029743.tif 000016
【図１４Ｂ】
2010029743.tif 000017
【図１５】
2010029743.tif 000018
【図１６】
2010029743.tif 000019
【手続補正書】
【提出日】平成23年1月31日(2011.1.31)
【手続補正１】
【補正対象書類名】明細書
【補正対象項目名】０００４
【補正方法】変更
【補正の内容】
【０００４】
一方、広帯域ＩＰネットワークの普及により、双方向通信の特長を生かしたＩＰ動画配信サービスが普及し始めている。デジタル放送における番組受信が現在放送中のものに限られるのに対し、ＩＰ動画配信サービスでは過去に放送された番組をサーバに蓄積し、視聴者のリクエストに応じて視聴者毎に個別配信することができる。いわゆるＶＯＤ（Ｖｉｄｅｏ  Ｏｎ  Ｄｅｍａｎｄ）サービスにおける１つの利用形態である。見逃した番組や、知人から紹介された放送済み番組を視聴できるので、ＩＰ動画配信サービスは魅力的なサービスとして期待されている。
【手続補正２】
【補正対象書類名】明細書
【補正対象項目名】０００９
【補正方法】変更
【補正の内容】
【０００９】
また特許文献２の方法では、送信する電子番組表情報に必ず過去から現在に至る膨大な量の電子番組表情報が含まれるため、その送信経路が放送経路か通信経路かによらず、データ量が大きくなり、伝送負担が大きくなる。
【手続補正３】
【補正対象書類名】明細書
【補正対象項目名】００３６
【補正方法】変更
【補正の内容】
【００３６】
いま画面５０１に示されるように、放送中の４ＣＨを視聴中であるとする。ここで視聴者が過去番組を見ることを希望すると、まず時計ボタン３０１を押して日時設定画面を表示させる。日時設定画面は、例えば画面５０２のように、日時入力欄５０４が画面５０２の中央上部に表示される。この後、視聴者が数字キー３０３、カーソルと決定キー３０２を用いて希望の日時を設定すると、画面５０３のように番組配信サーバ２０２からの過去番組をＩＰ受信で視聴できる。この例の場合は、過去番組を指定する際に、チャンネル操作は行っていないので、ここで表示される過去番組は同じ４ＣＨの番組である。過去番組視聴中に再度時計ボタン３０１を押すと現在時刻に戻り、現在放送中の４ＣＨの番組が表示される。すなわち画面５０１の状態に戻る。
【手続補正４】
【補正対象書類名】明細書
【補正対象項目名】００４６
【補正方法】変更
【補正の内容】
【００４６】
また、テレビジョン受信装置１００が過去番組にアクセスして番組データを受信するまでにはタイムラグが発生する。このために、過去番組の視聴中にテレビジョン受信装置１００の内部時計情報に基づいて他の番組を選局した場合には、上記タイムラグの分だけ実際の時刻とは異なった時刻の他の番組を受信することになる。そこで、このような問題を無くすために、番組配信サーバ２０２から一定周期で送出される時刻情報に基づいて、テレビジョン受信装置１００の内部時計情報を補正するようにしてもよい。
【手続補正５】
【補正対象書類名】明細書
【補正対象項目名】００５５
【補正方法】変更
【補正の内容】
【００５５】
図１０はＥＩＴの中で番組配信サーバ情報がどのように配置されるかを示した図である。放送局２００から送出されるＳＩ情報中に含まれるＥＩＴには、イベントＩＤやイベント毎に番組の名称や番組の関連情報等番組自体の詳細な情報をサービス情報記述子（Ｄｅｓｃｒｉｐｔｏｒ）の形で所有している。本実施の形態では、このサービス情報記述子の１つとして、新たに番組配信サーバ記述子２３０（図１０では、Ｓｔｒｅａｍ  Ｓｅｒｖｅｒ  Ｄｅｓｃｒｉｐｔｏｒと記載）を用意し、番組配信サーバ２０２のＵＲＬや、使用するプロトコルを記載している。
【手続補正６】
【補正対象書類名】明細書
【補正対象項目名】００５７
【補正方法】変更
【補正の内容】
【００５７】
図１１において、まずステップＳ２００で放送中番組を受信中に、リモコン受信部１０１がリモコン３００により視聴者の過去番組の選局情報を受信し、リモコン信号解析部１０２により解析された指定ＣＨ（チャンネル）および指定日時が設定されると（ステップＳ２０１）、ＩＰ受信制御部１２７はその内容に対応した番組情報記述子を取得する（ステップＳ２０２）。ＥＩＴ情報内の番組情報記述子に含まれる番組配信サーバ情報等は、所定期間の過去番組分までテレビジョン受信装置１２０内のＳＩ情報蓄積部１２９に蓄積されているので、番組情報記述子はＳＩ情報蓄積部１２９内の情報から取り出される。次に、ＩＰ受信制御部１２７は番組情報記述子に含まれている番組配信サーバ情報を取り出し（ステップＳ２０３）、ＩＰデータ受信部１０８はこの情報（ＵＲＬ）を用いて対象となる番組配信サーバ２０２に接続して希望する過去番組を受信して、受信データ再生部１１０は受信した番組データを再生する（ステップＳ２０４）。
【手続補正７】
【補正対象書類名】明細書
【補正対象項目名】００６０
【補正方法】変更
【補正の内容】
【００６０】
一方、ステップＳ２０６で受信データ再生部１１０の番組再生が終端まできて終了したと判定された場合（「Ｙｅｓ」の場合）には、ステップＳ２０８でＩＰ受信制御部１２７は時間的に次の番組の開始日時を設定してステップＳ２０２に戻る。この結果、テレビジョン受信装置１２０は、指定した過去番組再生が終了すると自動的に直後の過去番組の再生に移ることができる。なお図１１では、現在放送中の番組再生に関する処理ステップは省略している。
【手続補正８】
【補正対象書類名】明細書
【補正対象項目名】００７３
【補正方法】変更
【補正の内容】
【００７３】
まず、視聴者はリモコン３００の時計ボタン３０１を押した後に、数字キー３０３等を用いて視聴希望の日時情報を入力する。これにより、電子番組表を表示する要求を行った場合は、画面６０１の電子番組表が表示される。次に視聴者が放送チャンネルの１ＣＨを選択すると、電子番組表は画面６０１のように選択された番組（ここでは「ニュースＡＢＣ」）情報６０５が強調表示される。以上の操作で指定番組の放送チャンネルと日時情報が定まるので、それに応じた番組配信サーバ情報が読み出され、その番組配信サーバ２０２への接続が行われる。なお指定された日時が現在放送中の番組の時間帯に含まれる場合には、放送中の番組受信を行う。番組配信サーバ情報の取得は、第１の実施の形態による方法（ＳＤＴ情報の利用）、第２の実施の形態による方法（ＥＩＴ情報の利用）のいずれでもよい。この後、番組配信サーバ２０２からの配信により過去番組（「ニュースＡＢＣ」）６０２が再生表示される。
【手続補正９】
【補正対象書類名】明細書
【補正対象項目名】００７５
【補正方法】変更
【補正の内容】
【００７５】
図１４Ａに示した動作例を実現するためのテレビジョン受信装置１００のフローチャートを図１５に示す。図１５において、まず電子番組表を表示し（ステップＳ３００）、日時指定、放送チャンネル指定により番組選択を行う（ステップＳ３０１）。日時情報に基づき、その番組が過去に放送済みのものか否かが判別される（ステップＳ３０２）。過去のものであれば（ステップＳ３０２で「Ｙｅｓ」）、指定日時、指定放送チャンネルの情報より、必要な番組配信サーバ２０２の情報を取得し（ステップＳ３０３）、その番組配信サーバ２０２からの過去番組を受信して再生する（ステップＳ３０４）。一方、ステップＳ３０２において過去のものでない場合は、現在放送中の番組を受信して再生する（ステップＳ３０５）。
【手続補正１０】
【補正対象書類名】明細書
【補正対象項目名】００８２
【補正方法】変更
【補正の内容】
【００８２】
なお、上記すべての実施の形態では、ＳＤＴ、ＶＣＴなどの番組情報に番組配信サーバのＵＲＬや、使用するプロトコルを記載している例を示したが、送信するネットワークに関する情報が含まれているＮＩＴ（Ｎｅｔｗｏｒｋ  Ｉｎｆｏｒｍａｔｉｏｎ  Ｔａｂｌｅ）にこれらの情報を記載してもよい。
【手続補正１１】
【補正対象書類名】図面
【補正対象項目名】図１１
【補正方法】変更
【補正の内容】
【図１１】
2010029743.tif 000020
【手続補正１２】
【補正対象書類名】図面
【補正対象項目名】図１４Ａ
【補正方法】変更
【補正の内容】
【図１４Ａ】
2010029743.tif 000021
【国際調査報告】
2010029743.tif 000022
2010029743.tif 000023
2010029743.tif 000024
2010029743.tif 000025